(57)【要約】  【課題】  高い音質と耐熱性の両方を低いコストで達成できる音響システム付きプロジェクタをを提供する。  【解決手段】  スピーカ５０を内蔵したスピーカキャビネット２０、ディスクプレーヤ６０を内蔵したディスクプレーヤキャビネット３０、及びプロジェクタ７０を内蔵したプロジェクタキャビネット４０を下から順に積み上げ、上下に重なったキャビネット同士を結合して全体で１個のキャビネット１０を形成する。スピーカキャビネット２０及びディスクプレーヤキャビネット３０は振動抑制性能に主眼を置いた構造とし、プロジェクタキャビネット４０は耐熱性に主眼を置いた構造とする。スピーカキャビネット２０の上面開口はディスクプレーヤキャビネット３０の底板３１とシール部材１２により密閉される。【選択図】      図２
2006050167.tif 000002
【特許請求の範囲】
【請求項１】
下から順に、スピーカを内蔵したスピーカキャビネット、ディスクプレーヤを内蔵した
ディスクプレーヤキャビネット、及びプロジェクタを内蔵したプロジェクタキャビネット
を積み上げ、上下に重なったキャビネット同士を結合して全体で１個のキャビネットを形
成し、前記スピーカキャビネット及びディスクプレーヤキャビネットは振動抑制性能に主
眼を置いた構造とし、前記プロジェクタキャビネットは耐熱性に主眼を置いた構造とし、
前記スピーカキャビネットは上面が開口した形状とし、この開口に前記ディスクプレーヤ
キャビネットの底板を嵌合し、その嵌合部には密閉度を高めるためのシール部材を介在さ
せ、また前記ディスクプレーヤキャビネットは上面が開口した形状、前記プロジェクタキ
ャビネットは下面が開口した形状とし、これら両キャビネットをその開口同士で接合する
とともに、前記プロジェクタを、ディスクプレーヤキャビネットの中から立ち上がる支柱
の上に支持することを特徴とする音響システム付きプロジェクタ。
【請求項２】
下から順に、スピーカを内蔵したスピーカキャビネット、ディスクプレーヤを内蔵した
ディスクプレーヤキャビネット、及びプロジェクタを内蔵したプロジェクタキャビネット
を積み上げ、上下に重なったキャビネット同士を結合して全体で１個のキャビネットを形
成するとともに、前記スピーカキャビネット及びディスクプレーヤキャビネットは振動抑
制性能に主眼を置いた構造とし、前記プロジェクタキャビネットは耐熱性に主眼を置いた
構造とすることを特徴とする音響システム付きプロジェクタ。
【請求項３】
前記スピーカキャビネットは上面が開口した形状とし、この開口に前記ディスクプレー
ヤキャビネットの底板を嵌合するとともに、その嵌合部には密閉度を高めるためのシール
部材を介在させることを特徴とする請求項２に記載の音響システム付きプロジェクタ。
【請求項４】
前記ディスクプレーヤキャビネットは上面が開口した形状、前記プロジェクタキャビネ
ットは下面が開口した形状とし、これら両キャビネットをその開口同士で接合するととも
に、前記プロジェクタを、ディスクプレーヤキャビネットの中から立ち上がる支柱の上に
支持することを特徴とする請求項２又は３に記載の音響システム付きプロジェクタ。
【発明の詳細な説明】
【技術分野】
【０００１】
本発明は画像を投影するプロジェクタに音響システムを付加した音響システム付きプロ
ジェクタに関する。
【背景技術】
【０００２】
プレゼンテーションをしたり、家庭で映像ソフトを鑑賞するといった目的で、プロジェ
クタが頻繁に利用されるようになっている。プレゼンテーション用途の場合、肉声で、あ
るいはマイクロフォンを使用してナレーションを行う。これに対し家庭で映像ソフトを鑑
賞する場合には映像と共に収録されている音声を再生するシステムが必須のものとなる。
そのため、プロジェクタと音響システムを一体として商品化するという例がしばしば見ら
れる。例えば特許文献１には、収納キャビネット内に映像プロジェクタ、ビジュアルコン
トローラ、マイクチューナ、ＭＤプレーヤ、ＤＶＤプレーヤ、ビデオデッキ、アンプを収
納し、フルレンジスピーカを取り付けた映像投影装置が開示されている。
【０００３】
またプロジェクタはランプ部が非常に高温になり、多量の熱を発生している。そのため
、各部の設計にあたっては熱による温度上昇を考慮に入れねばならない。特許文献２には
、筐体が難燃性を持つよう、その材料に配慮したリアプロジェクション型のプロジェクタ
が開示されている。
【特許文献１】特開２００１−１１１９１７号公報（第３頁、図１−４）
【特許文献２】特開平１１−１６３５４３号公報（第２−３頁、図１−５）
【発明の開示】
【発明が解決しようとする課題】
【０００４】
音響システム付きプロジェクタとして、従来、図４に示す構成のものが商品化されてい
る。図４に示す音響システム付きプロジェクタ１００は、キャビネット１１０の中に下か
ら順にスピーカ１２０及び１２１、ＤＶＤなどのディスクを再生するディスクプレーヤ１
３０、及びプロジェクタ１４０が配置されている。キャビネット１１０には、ディスクプ
レーヤ１３０のディスクトレイを出し入れするための開口部と、プロジェクタ１４０の投
影レンズを露出させるための開口部と、プロジェクタ１４０の冷却用空気を取り入れ、プ
ロジェクタ１４０で熱せられた空気を排気するための通気口（いずれも図示せず）が形成
される。
【０００５】
キャビネット１１０は下キャビネット１１１と上キャビネット１１２を組み合わせてつ
くる。下キャビネット１１１と上キャビネット１１２の境界はディスクプレーヤ１３０と
ほぼ同じくらいの高さのところにある。キャビネット１１０はスピーカボックスを兼ねる
ものであり、密閉して音質を良くする必要があるので、下キャビネット１１１と上キャビ
ネット１１２のはめ合い部は印籠嵌合部１１３としてある。この印籠嵌合部１１３に外側
からビス１１４を通し、上キャビネット１１２の内面に固定したナット板１１５にビス１
１４をねじ込んで下キャビネット１１１と上キャビネット１１２を結合する。
【０００６】
下キャビネット１１１の内底面からは複数の支柱１１６が立ち上がる。支柱１１６には
上下２段になった板金製の棚１１７がビスで固定される。棚１１７の下段にはディスクプ
レーヤ１３０が設置され、上段にはプロジェクタ１４０が設置される。低音用のスピーカ
１２０と中高音用のスピーカ１２１は、共に下キャビネット１１１の側面に形成したスピ
ーカ穴に固定される。
【０００７】
下キャビネット１１１を構成する材料としては、音響特性を重視し、振動抑制性能に主
眼を置いた材料を使用すればよい。これに対し上キャビネット１１２は、プロジェクタ１
４０の発生する熱をまともに受けるため、耐熱性を備える必要がある。加えて上キャビネ
ット１１２は、スピーカボックスの一半でもあるため、振動抑制性能も備えていなければ
ならない。このような二通りの条件を満たす材料を探すのは容易ではなく、見つけられた
としても材料コストが高くつく。
【０００８】
またキャビネット１１０は、スピーカボックスとしての性能を追求するかぎり、密閉度
が高くする必要がある。しかしながら、ディスクトレイを出し入れするための開口部、投
影レンズを露出させるための開口部、冷却用空気を出し入れするための通気口など、不可
欠の開口部が複数存在するので、密閉度を上げるといっても限界がある。そのため、スピ
ーカが高性能のものであったとしても、満足できるレベルの音質を得ることは困難であっ
た。
【０００９】
本発明は上記の点に鑑みなされたものであり、高い音質と耐熱性の両方を低いコストで
達成できる音響システム付きプロジェクタをを提供することを目的とする。
【課題を解決するための手段】
【００１０】
上記目的を達成するために、請求項１の発明は、下から順に、スピーカを内蔵したスピ
ーカキャビネット、ディスクプレーヤを内蔵したディスクプレーヤキャビネット、及びプ
ロジェクタを内蔵したプロジェクタキャビネットを積み上げ、上下に重なったキャビネッ
ト同士を結合して全体で１個のキャビネットを形成し、前記スピーカキャビネット及びデ
ィスクプレーヤキャビネットは振動抑制性能に主眼を置いた構造とし、前記プロジェクタ
キャビネットは耐熱性に主眼を置いた構造とし、前記スピーカキャビネットは上面が開口
した形状とし、この開口に前記ディスクプレーヤキャビネットの底板を嵌合し、その嵌合
部には密閉度を高めるためのシール部材を介在させ、また前記ディスクプレーヤキャビネ
ットは上面が開口した形状、前記プロジェクタキャビネットは下面が開口した形状とし、
これら両キャビネットをその開口同士で接合するとともに、前記プロジェクタを、ディス
クプレーヤキャビネットの中から立ち上がる支柱の上に支持することとした音響システム
付きプロジェクタを提供する。
【００１１】
この構成によれば、スピーカキャビネットやディスクプレーヤキャビネットのように収
納する要素の性質上振動抑制が求められるキャビネットはそれにふさわしく構成し、プロ
ジェクタキャビネットのように耐熱性が求められるキャビネットもそれにふさわしく構成
することにより、高音質と耐熱性の両方を満足できるキャビネット構造を得ることができ
る。材料は振動抑制性能と耐熱性のどちらか一方のみ満たせばよいから、材料コストを押
し上げることもない。
【００１２】
また、スピーカキャビネットは上面が開口した形状とし、この開口にディスクプレーヤ
キャビネットの底板を嵌合するとともに、その嵌合部には密閉度を高めるためのシール部
材を介在させたから、スピーカキャビネットの密閉度を高め、音質を向上させることがで
きる。そのうえ、スピーカキャビネットにスピーカを組み込んだうえでディスクプレーヤ
キャビネットにより蓋をすれば良いから、組立が容易である。
【００１３】
さらに、ディスクプレーヤキャビネットは上面が開口した形状、プロジェクタキャビネ
ットは下面が開口した形状とし、これら両キャビネットをその開口同士で接合するととも
に、前記プロジェクタを、ディスクプレーヤキャビネットの中から立ち上がる支柱の上に
支持したから、プロジェクタキャビネットの底板が不要となり、材料及び製作コストを節
減できる。またディスクプレーヤとプロジェクタをディスクプレーヤキャビネットに組み
付けたうえでプロジェクタキャビネットをかぶせて固定すれば良いので、組立が容易であ
る。
【００１４】
請求項２の発明は、下から順に、スピーカを内蔵したスピーカキャビネット、ディスク
プレーヤを内蔵したディスクプレーヤキャビネット、及びプロジェクタを内蔵したプロジ
ェクタキャビネットを積み上げ、上下に重なったキャビネット同士を結合して全体で１個
のキャビネットを形成するとともに、前記スピーカキャビネット及びディスクプレーヤキ
ャビネットは振動抑制性能に主眼を置いた構造とし、前記プロジェクタキャビネットは耐
熱性に主眼を置いた構造とした音響システム付きプロジェクタを提供する。
【００１５】
この構成によれば、スピーカキャビネットやディスクプレーヤキャビネットのように収
納する要素の性質上振動抑制が求められるキャビネットはそれにふさわしく構成し、プロ
ジェクタキャビネットのように耐熱性が求められるキャビネットもそれにふさわしく構成
することにより、高音質と耐熱性の両方を満足できるキャビネット構造を得ることができ
る。材料は振動抑制性能と耐熱性のどちらか一方のみ満たせばよいから、材料コストを押
し上げることもない。
【００１６】
請求項３の発明では、請求項２の音響システム付きプロジェクタにおいて、前記スピー
カキャビネットは上面が開口した形状とし、この開口に前記ディスクプレーヤキャビネッ
トの底板を嵌合するとともに、その嵌合部には密閉度を高めるためのシール部材を介在さ
せるものとする。
【００１７】
この構成によれば、スピーカキャビネットの密閉度を高め、音質を向上させることがで
きる。また、スピーカキャビネットにスピーカを組み込んだうえでディスクプレーヤキャ
ビネットにより蓋をすれば良いから、組立が容易である。
【００１８】
請求項４の発明では、請求項２又は３の音響システム付きプロジェクタにおいて、前記
ディスクプレーヤキャビネットは上面が開口した形状、前記プロジェクタキャビネットは
下面が開口した形状とし、これら両キャビネットをその開口同士で接合するとともに、前
記プロジェクタを、ディスクプレーヤキャビネットの中から立ち上がる支柱の上に支持す
るものとする。
【００１９】
この構成によれば、プロジェクタキャビネットの底板が不要となり、材料及び製作コス
トを節減できる。またディスクプレーヤとプロジェクタをディスクプレーヤキャビネット
に組み付けたうえでプロジェクタキャビネットをかぶせて固定すれば良いので、組立が容
易である。
【発明の効果】
【００２０】
以上のように本発明によれば、振動抑制が求められるキャビネット部分は振動抑制性能
に主眼をおいた構造であり、耐熱性が求められるキャビネット部分は耐熱性に主眼を置い
た構造であるから、音質と耐熱性の両方において満足すべき性能が得られる。材料は振動
抑制性能と耐熱性の一方のみ満たせばよく、材料コストを押し上げることもない。またス
ピーカキャビネットは上面が開口した形状であり、この開口にディスクプレーヤキャビネ
ットの底板を嵌合するとともに、その嵌合部にはシール部材を介在させて密閉度を高めた
から、音質が向上する。このスピーカキャビネットにはディスクトレイを出し入れするた
めの開口部、投影レンズを露出させるための開口部、冷却用空気を出し入れするための通
気口などを設ける必要がなく、スピーカキャビネットにふさわしい密閉度を得ることがで
きる。さらに、ディスクプレーヤキャビネットは上面が開口した形状、プロジェクタキャ
ビネットは下面が開口した形状であり、プロジェクタキャビネットに底板はないので、材
料及び製作コストを節減できる。またディスクプレーヤとプロジェクタをディスクプレー
ヤキャビネットに組み付けたうえでプロジェクタキャビネットをかぶせて固定すれば良く
、組立が容易である。
【発明を実施するための最良の形態】
【００２１】
以下、添付図面を参照しつつ本発明の実施形態を説明する。図１はプロジェクタの外観
斜視図、図２はプロジェクタの垂直断面図、図３は部分拡大断面図である。
【００２２】
プロジェクタ１は直方体形状のキャビネット１０を有する。キャビネット１０は３個の
キャビネットを積み重ねて上下に重なったキャビネット同士を結合し、全体で１個のキャ
ビネットとして構成されるものである。３個のキャビネットとは、下から順に、スピーカ
５０を内蔵したスピーカキャビネット２０、ディスクプレーヤ６０を内蔵したディスクプ
レーヤキャビネット３０、及びプロジェクタ７０を内蔵したプロジェクタキャビネット４
０である。スピーカキャビネット２０とディスクプレーヤキャビネット３０は振動抑制性
能の高い材料、一般的には比重の大きい材料で形成する。これを満足する材料として、例
えばポリプロピレンを使用することができる。プロジェクタキャビネット４０は耐熱性の
高い材料で形成する。これを満足する材料として、例えばポリカーボネートを使用するこ
とができる。
【００２３】
キャビネット１０は上から見ると長方形になっており、その長手方向の２辺の一方から
プロジェクタ７０の投影レンズ７１が露出する。長手方向の２辺の他方からはディスクプ
レーヤ６０のディスクトレイ６１が出入りする。ディスクトレイ６１の出入りする側が、
使用者のいる側であり、音響システム付きプロジェクタ１の操作パネルはこちら側の側面
に設けられている。
【００２４】
スピーカキャビネット２０には、その長手方向側面と直交する側面の内側に、２個のス
ピーカ５０が互いに背中合わせになる形で固定されている。スピーカ５０の取り付け位置
に対応して、スピーカキャビネット２０の側面にはスピーカ穴２１が形成される。スピー
カ穴２１は格子状又は網状のグリル２２でカバーされる。またスピーカキャビネット２０
の下面には脚部２３が形成されている。
【００２５】
スピーカキャビネット２０は上面が開口した形状であり、この開口にディスクプレーヤ
キャビネット３０の底板３１が嵌合する。スピーカキャビネット２０とディスクプレーヤ
キャビネット３０は、前者が外側、後者がが内側になるように嵌合し、印籠嵌合部１１を
形成している。図３に見られるように、ゴムなどからなるシール部材１２が印籠嵌合部１
１に介在し、スピーカキャビネット２０の密閉性を高めている。スピーカキャビネット２
０とディスクプレーヤキャビネット３０はディスクプレーヤキャビネット３０の底板３１
を貫通するビス１３により結合される。
【００２６】
ディスクプレーヤキャビネット３０は上面が開口した形状、プロジェクタキャビネット
４０は下面が開口した形状であり、その開口部同士が接合される。接合の手法として、こ
こでも印籠嵌合が用いられている。印籠嵌合部１４において、ディスクプレーヤキャビネ
ット３０は内側、プロジェクタキャビネット４０は外側をなす。この印籠嵌合部１４に外
側からビス１５を通し、プロジェクタキャビネット４０の内面に固定したナット板１６に
ビス１５をねじ込んでディスクプレーヤキャビネット３０とプロジェクタキャビネット４
０を結合する。ディスクプレーヤキャビネット３０とプロジェクタキャビネット４０はス
ピーカボックスを構成する訳ではなく、スピーカキャビネット２０とディスクプレーヤキ
ャビネット３０の間ほどの密閉性は要求されないので、印籠嵌合部１４にシール部材は配
置しない。
【００２７】
ディスクプレーヤキャビネット３０の内底面にはディスクプレーヤ６０が設置される。
ディスクプレーヤ６０を囲む形で、ディスクプレーヤキャビネット３０の内底面から複数
の支柱３２が立ち上がる。支柱３２には板金製の棚３３がビスで固定され、その上にプロ
ジェクタ７０が設置される。
【００２８】
プロジェクタキャビネット４０の側面及び上面には、プロジェクタ７０の冷却用空気を
取り入れ、プロジェクタ７０で熱せられた空気を排気するための通気口が形成される。ま
た、この通気口を通じて強制換気を行う冷却用ファンがプロジェクタキャビネット７０の
内部に配置されるが、これらはいずれも図示しない。
【００２９】
プロジェクタ１の動作は次の通りである。映像ソフトの再生を行うときは、操作パネル
上で所定のキー操作を行う。するとディスクトレイ６１が出てくるのでその上にディスク
を載せたうえで、ディスクプレーヤ６０の方に戻してやる。ディスクプレーヤ６０がディ
スクを取り込むと、自動的に再生が始まる。
【００３０】
ディスクの担持する情報のうち、映像情報はプロジェクタ７０の投影レンズ７１を通じ
て前方に投影される。音声情報はスピーカ５０から流される。２個のスピーカ５０が互い
に反対の方向を向いて設置されているので、立体音響効果を容易に得ることができる。
【００３１】
スピーカキャビネット２０はディスクプレーヤキャビネット３０とシール部材１２でし
っかりと密閉されているうえ、スピーカキャビネット２０とディスクプレーヤキャビネッ
ト３０がいずれも振動抑制性能の高い材料で成形されているので高い音質を得ることがで
きる。ディスクプレーヤキャビネット３０の振動抑制性能により、ディスクプレーヤ６０
の振動も抑えられ、高品位の映像及び音声を得ることができる。
【００３２】
投影を続けると、プロジェクタ７０の発生する熱によりプロジェクタキャビネット４０
は加熱される。温度は上昇するものの、耐熱性の高い材料で構成されているので、プロジ
ェクタキャビネット４０が変形したり燃えたりするおそれはない。
【００３３】
以上本発明の実施形態につき説明したが、発明の主旨を逸脱しない範囲でさらに種々
の変更を加えて実施することができる。
【産業上の利用可能性】
【００３４】
本発明は、音響システムを一体化したプロジェクタ全般に利用可能である。
【図面の簡単な説明】
【００３５】
【図１】本発明に係るプロジェクタの外観斜視図
【図２】プロジェクタの垂直断面図
【図３】部分拡大断面図
【図４】従来のプロジェクタの垂直断面図
【符号の説明】
【００３６】
１    プロジェクタ
１０  キャビネット
１２  シール部材
２０  スピーカキャビネット
３０  ディスクプレーヤキャビネット
３１  底板
３２  支柱
３３  棚
４０  プロジェクタキャビネット
５０  スピーカ
６０  ディスクプレーヤ
７０  プロジェクタ
【図１】
2006050167.tif 000003
【図２】
2006050167.tif 000004
【図３】
2006050167.tif 000005
【図４】
2006050167.tif 000006